(57)【要約】【課題】分割される一対のケースの構造を同一とし，部品を共用化することで金型個数が少なくてすみ組立ても容易な分割形変流器を得る。【解決手段】同一形状の第１鉄心１および第２鉄心２にそれぞれ２次コイルが巻装され，第１ケースおよび第２ケースに前記各鉄心の端面が露出するように収納された構造とし，さらに前記各ケース両端に左右非対称に組み合わせたとき一軸をなすような筒状ジョイント６，７を設け，一軸を形成した前記筒状ジョイントの少なくとも一方の筒状ジョイントに摺動可能な接合ピンを貫通して接合する構造とすることにより第１ケース４と第２ケース５の形状を同一にする。【選択図】  図３
2004363530.tif 000002
【特許請求の範囲】
【請求項１】
それぞれ２次コイルが巻装された略コ字形状または略Ｕ字形状の第１鉄心および第２鉄心を，分割された絶縁材料製の第１ケースおよび第２ケースに前記各鉄心の端面が露出するように収納し，前記第１ケースと第２ケースを接合することにより各鉄心の端面どうしが接合され閉磁路を形成するように構成された分割形変流器において，前記第１ケースおよび第２ケースを同一形状としたことを特徴とする分割形変流器。
【請求項２】
前記第１ケースと第２ケースを，各ケース両端面に左右非対称に組み合わせたとき一軸を形成するように筒状ジョイントを設け，一軸を形成する該筒状ジョイントの少なくとも一方に摺動可能に接合ピンを貫通して該ケースを接合するとともに，前記第１ケースと第２ケースに前記接合ピンの固定および脱落防止形状を設けたことを特徴とする請求項１記載の分割形変流器。
【請求項３】
前記第１鉄心と第１ケースおよび第２鉄心と第２ケースの間隙に各鉄心の端面が突出する方向に押圧力を発生させるばね材を配置したことを特徴とする請求項１記載の分割形変流器。
【発明の詳細な説明】
【０００１】
【発明の属する技術分野】
本発明は２次コイルを巻装した２個の鉄心をそれぞれ絶縁材料製のケースに収納し，それらを連結してなる分割形変流器に関する。
【０００２】
【従来の技術】
図６は例えば特開２００１−３０７９３４号公報に示された従来の分割形変流器を示す断面図である。図において第１鉄心１および２次コイル３が巻装された第２鉄心２は略コ字状を有しており，それぞれ分割された絶縁材料製の第１ケース４および第２ケース５に各鉄心の端面が露出するように収納されるとともに，第１鉄心１は第１ケース４に設けられたばね材１４により鉄心端面方向に押圧力が与えられている。第１ケース４と第２ケース５の一方の端面は連結部１５によって接合されるとともに，他方の端面には係着手段１６を設け，開閉固定可能な構造となっている。
【０００３】
【発明が解決しようとする課題】
上記従来の分割形変流器においては，第１ケース４と第２ケース５のそれぞれ左右接合部が，例えば左側が連結部１５，右側が係着手段１６のように異なった構造となっており，さらに２次コイル３とばね材１４は片側のケースにしか備えていないため，第１ケース４と第２ケース５は各々異なる形状にせざるを得ず，それぞれ専用の金型を製作する必要があるため，金型コストが高くなったり，また各ケースが異なる構造のため組立て工程が複雑になるという問題点があった。
【０００４】
この発明は上記問題点を解消するためになされたもので，部品を共用化することで金型個数を削減するとともに，組立てを容易にすることを目的としている。
【０００５】
【課題を解決するための手段】
本発明の分割形変流器は上記課題を解決するために，略コ字形状または略Ｕ字形状でそれぞれ同一形状の第１鉄心および第２鉄心にそれぞれ２次コイルが巻装され，分割された絶縁材料製の第１ケースおよび第２ケースに前記各鉄心の端面が露出するように収納された構造とし，前記第１ケースと第２ケースを接合することにより各鉄心の端面どうしが接合し，閉磁路が形成できる構造とすることにより，前記第１ケースおよび第２ケースを同一形状とした。
【０００６】
また第１ケースと第２ケースを各ケース両端面に左右非対称に組み合わせたとき，一軸を形成するような筒状ジョイントを設け，一軸を形成した前記筒状ジョイントの少なくとも一方に摺動可能に接合ピンを貫通して接合するとともに，前記第１ケースと第２ケースに前記接合ピンの固定および脱落防止形状を設けた。
【０００７】
また第１鉄心と第１ケースおよび第２鉄心と第２ケースのそれぞれの間隙に，各鉄心の端面が突出する方向に押圧力を発生させるばね材を配置した。
【０００８】
上記のように第１鉄心および第２鉄心にそれぞれ２次コイルを巻装し，前記各鉄心にばね材にて押圧力を加える構造とし，さらに各ケースの連結部にケース端面を対向させたときに一軸をなすような筒状ジョイントを設け，この筒状ジョイントに貫通させ，かつ摺動固定可能な接合ピンを係着部材として使用したため，第１ケースと第２ケースの形状を全く同一にすることができ，ケース金型および組み立て工程を共通化し，低コストで組立て性の高い分割形変流器を提供できる。
【０００９】
【発明の実施の形態】
実施の形態１．
以下，本発明の第１の実施例を示す図１から図３を参照して説明する。
図１及び図２は，本発明の分割形変流器の全体構成を示す破断状態の正面図および側面図，図３は斜視図である。
図において２次コイル３を巻装された第１鉄心１および第２鉄心２を例えば絶縁材料製の第１ケース４および第２ケース５に端面が露出するように収納し，各鉄心と各ケースの間隙に各鉄心の端面が突出する方向に押圧力を発生させるばね材１４が配置されている。また第１ケース４および第２ケース５の両端には，左右非対称かつケースを組み合わせたときに一軸をなすように筒状ジョイント６および７を設け，筒状ジョイント６および７に貫通させたピン８により，第１ケース４および第２ケース５に収納された第１鉄心１および第２鉄心２の端面どうしが接合され，閉磁路を形成すると同時に電路用窓部１０が形成されるよう構成されている。
【００１０】
実施の形態２．
図４，図５は本発明の分割形変流器の全体構成を示す左側面図及び上面図で，図４は接合ピン９を係着させた状態を示し，図５は接合ピン９の係着解除させた状態を示す。
第１ケース４および第２ケース５の端面を左右非対称に対向させたとき，筒状ジョイント６および７により一軸に形成される筒状ジョイントの少なくとも一方に摺動可能な接合ピン９を組入れ，係着解除時に引き抜いた接合ピン９の抜け止まり支持部１１および係着時に押し込んだ接合ピン９の行き止まり固定部１２を設けている。
【００１３】
【発明の効果】
本発明は以上説明した通り，２次コイルを巻装した第１鉄心および第２鉄心を第１ケースおよび第２ケースにそれぞれ同様に挿入し，さらに前記各ケースの連結部は，ケース端面を左右非対称に対向させたとき，筒状ジョイントが一軸に形成される構造により，第１ケースと第２ケースの形状を全く同一にすることができるので，金型および組み立て工程を共通化して低コストで組立て性の高い分割形変流器を提供できる。
【００１４】
また筒状ジョイントに貫通させる接合ピンの少なくとも一方を摺動可能とし，さらにケースに抜け止め支持部および行き止まり固定部を設けたので，鉄心の開閉が容易で測定電路への取付け作業中の接合ピンの紛失や取り付け後の振動等によるピンの外れを防止した信頼性の高い分割形変流器を提供できる。
【図面の簡単な説明】
【図１】本発明の第１実施例を示す正面図
【図２】右側面図
【図３】本発明の第１実施例を示す斜視図
【図４】本発明の第２実施例を示す。（ａ）は左側面図，（ｂ）は上面図である。
【図５】本発明の第２実施例を示す。（ａ）は左側面図，（ｂ）は上面図である。
【図６】従来例を示す図１相当図
【符号の説明】
１  第１鉄心
２  第２鉄心
３  ２次コイル
４  第１ケース
５  第２ケース
６  ケースの筒状ジョイント左，右
７  ケースの筒状ジョイント中央
８  ピン
９  接合ピン
１０  電路用窓部
１１  抜け止まり支持部
１２  行き止まり固定部
１３  ２次コイルと鉄心間の空隙
１４  ばね材
１５  連結部
１６  係着手段
【図１】
2004363530.tif 000003
【図２】
2004363530.tif 000004
【図３】
2004363530.tif 000005
【図４】
2004363530.tif 000006
【図５】
2004363530.tif 000007
【図６】
2004363530.tif 000008